(57)【要約】【課題】連続紙に対する画像データの書き出し位置のずれを防止し、書き出し位置の精度を向上させることが可能な連続紙電子写真装置を提供することを目的とする。【解決手段】レーザビームによる垂直方向の画像データの書き出しを制御するＶＳ信号を、感光体ドラム上に照射されたレーザビームの水平走査の開始位置を示すＢＤ信号と同期させる補正を行うことで、ＢＤ信号とＶＳ信号との位相差をなくし連続紙に対する画像データの書き出し位置のずれを防止する。【選択図】図５
2009031440.tif 000002
【特許請求の範囲】
【請求項１】
レーザ光源から照射されるレーザビームにより感光体面上を走査して前記感光体面上に出力画像を形成し、前記出力画像を連続紙へ出力する連続紙電子写真装置において、
前記感光体面上に照射されたレーザビームの水平走査の開始位置を示す位置信号を出力するレーザビーム位置検出手段と、
前記レーザビームによる垂直方向の画像データの書き出しを制御する制御信号を出力する制御信号出力手段とを有し、
前記制御信号出力手段は、前記位置信号との位相差が補正された制御信号を出力することを特徴とする連続紙電子写真装置。
【請求項２】
前記レーザビームは、複数本のレーザビームであって、
前記位置信号は、前記複数のレーザビームのうち、前記感光体面上を最初に走査するレーザビームの走査位置を示すことを特徴とする請求項１記載の連続紙電子写真装置。
【請求項３】
前記制御信号出力手段は、前記制御信号と前記位置信号との位相差を設定する設定手段を有することを特徴とする請求項１又は２記載の連続紙電子写真装置。
【請求項４】
レーザ光源から照射されるレーザビームにより感光体面上を走査して前記感光体面上に出力画像を形成し、前記出力画像を連続紙へ出力する連続紙電子写真装置による出力画像の書き出し制御方法において、
前記感光体面上に照射されたレーザビームの水平走査の開始位置を示す位置信号を出力するレーザビーム位置検出手順と、
前記レーザビームによる垂直方向の画像データの書き出しを制御する制御信号を出力する制御信号出力手順とを有し、
前記制御信号出力手順は、前記位置信号との位相差が補正された制御信号を出力することを特徴とする連続紙電子写真装置の書き出し位置制御方法。
【請求項５】
前記レーザビームは、複数本のレーザビームであって、
前記位置信号は、前記複数のレーザビームのうち、前記感光体面上を最初に走査するレーザビームの走査位置を示すことを特徴とする請求項４記載の連続紙電子写真装置の書き出し位置制御方法。
【請求項６】
前記制御信号出力手順は、前記制御信号と前記位置信号との位相差を設定する設定手順を有することを特徴とする請求項４又は５記載の連続紙電子写真装置の書き出し位置制御方法。
【発明の詳細な説明】
【技術分野】
【０００１】
本発明は、出力画像を連続紙へ出力する連続紙電子写真装置に関する。
【背景技術】
【０００２】
画像データを、複数ページが連続してつなげられた連続紙に出力する連続紙電子写真装置がある。連続紙電子写真装置では、画像データを連続した各ページ内に適切に出力すべく画像データの書き出し位置の制御が行われる。
【０００３】
従来の画像データの書き出し位置の制御では、レーザビームの水平走査の開始位置を示す位置信号（以下、ＢＤ（Beam Detect）信号）と、レーザビームによる垂直方向の画像データの書き出しを制御する制御信号（以下、ＶＳ（Vertical Signal）信号）とが用いられる。
【０００４】
図１を参照して、レーザビームを用いて書き出し位置の制御を行う連続紙電子写真装置を説明する。図１は、レーザビームを用いて書き出し位置の制御を行う連続紙電子写真装置を説明する図である。
【０００５】
連続紙電子写真装置では、ポリゴンミラー１０１、レーザビーム１０２を照射するレーザ光源１０３、感光体ドラム１０４、フォトセンサ１０５、トラクタ１０６、転写器１０７を有する。
【０００６】
レーザビーム１０２は、一定速度で回転するポリゴンミラー１０１に反射されて、感光体ドラム１０４面上を水平方向に走査し、一定速度で回転する感光体ドラム１０４面上に出力画像を形成する。フォトセンサ１０５は、レーザビーム１０２の走査線上に配置されており、感光体ドラム１０４に照射されたレーザビーム１０２を検出してＢＤ信号を出力する。連続紙電子写真装置では、このＢＤ信号と同期したＶＳ信号に基づき画像データを書き出すことで、区切られたページ内に適切に画像データを出力している。
【０００７】
ところで多面体ミラーのポリゴンミラー１０１は回転位相を制御しない。よって連続紙電子写真装置では、ポリゴンミラー１０１が回転を開始する度に、感光体ドラム１０４に照射されるレーザビーム１０２の位置が変わり、フォトセンサ１０５から出力されるＢＤ信号のタイミングもずれる。この結果ＢＤ信号とＶＳ信号との間に位相差が生じ、連続紙における画像データの書き出し位置にずれが生じる。
【０００８】
図２に、ＢＤ信号とＶＳ信号との間に位相差が生じた例を示す。図２に示すパターンＡではＶＳ信号とＢＤ信号とが同期しており、書き出し位置のずれは生じない。パターンＢ及びパターンＣではＶＳ信号とＢＤ信号とが同期しておらず、両信号間に位相差が発生している。よってパターンＢ及びパターンＣの場合には、ＢＤ信号とＶＳ信号との位相差により画像データの書き出し位置にずれが生じる。
【０００９】
このずれの量は、レーザ光源１０１から照射されるレーザビームの本数及び連続紙電子写真装置の有する解像度と関係が深い。例えば一度に走査するレーザビームの本数をｍ、解像度ＤＰＩとすると、最大書き出し位置ずれ量は、ｍ÷解像度であり、従来のビーム数ｍ＝１、解像度ＤＰＩ＝２４０（ドット／インチ）の場合、１÷２４０×２５．４ｍｍ＝０．１１ｍｍ程度で問題としなかった。
【００１０】
しかし、近年の連続紙電子写真装置は、高速化及び高解像度化のために複数のレーザ光源を有するマルチビーム光学系の連続紙電子写真装置では、上記したＢＤ信号とＶＳ信号との位相差による影響が大きくなる。例えばビーム数ｍ＝２０、解像度ＤＰＩ＝１２００（ドット／インチ）の場合、２０÷１２００×２５．４ｍｍ＝０．４２ｍとなり、書き出し位置のずれが大きくなる。
【００１１】
書き出し位置のずれを補正する技術として、例えばポリゴンミラー１０１の回転位相制御を行い、ＶＳ信号とＢＤ信号とを同期させる方法がある。また特許文献１には、光検出器と紙先端検出器によりそれぞれ検出された検出信号の位相差に基づいて転写ドラムを駆動するパルスモータを制御して、カラー画像を形成する際の色ずれを防ぐ画像形成装置及び該装置の制御方法が記載されている。
【特許文献１】特開平１０−１６３０７号公報
【発明の開示】
【発明が解決しようとする課題】
【００１２】
しかしながらポリゴンミラー１０１の回転位相制御を行う方法においては、ミラーモータは一般に高精度に回転角速度を実現するためＤＣブラシレスモータが用いられており、位相制御が不向きなモータである。また特許文献１記載の発明では、回路コストや回転が安定するまでに時間が掛る点が不利である。さらに特許文献１記載の発明では、カラー画像の色ずれを防ぐため、露光の段階で補正が必要であることは理解できるがモノクロ印刷の場合は適用できない。
【００１３】
本発明は、上記事情を鑑みて、これを解決すべく成されたものであり、連続紙に対する画像データの書き出し位置のずれを防止し、書き出し位置の精度を向上させることが可能な連続紙電子写真装置を提供することを目的とする。
【課題を解決するための手段】
【００１４】
本発明は、上記目的を達成するために以下の如き構成を採用した。
【００１５】
本発明は、レーザ光源から照射されるレーザビームにより感光体面上を走査して前記感光体面上に出力画像を形成し、前記出力画像を連続紙へ出力する連続紙電子写真装置において、前記感光体面上に照射されたレーザビームの水平走査の開始位置を示す位置信号を出力するレーザビーム位置検出手段と、前記レーザビームによる垂直方向の画像データの書き出しを制御する制御信号を出力する制御信号出力手段とを有し、前記制御信号出力手段は、前記位置信号との位相差が補正された制御信号を出力する構成とした。
【００１６】
係る構成により、画像データの書き出し位置のずれを防止し、書き出し位置の精度を向上させることできる。
【００１７】
また前記レーザビームは、複数本のレーザビームであって、前記位置信号は、前記複数のレーザビームのうち、前記感光体面上を最初に走査するレーザビームの走査位置を示すものとした。
【００１８】
また前記制御信号出力手段は、前記制御信号と前記位置信号との位相差を設定する設定手段を有する構成とした。
【００１９】
本発明は、レーザ光源から照射されるレーザビームにより感光体面上を走査して前記感光体面上に出力画像を形成し、前記出力画像を連続紙へ出力する連続紙電子写真装置による出力画像の書き出し制御方法において、前記感光体面上に照射されたレーザビームの水平走査の開始位置を示す位置信号を出力するレーザビーム位置検出手順と、前記レーザビームによる垂直方向の画像データの書き出しを制御する制御信号を出力する制御信号出力手順とを有し、前記制御信号出力手順は、前記位置信号との位相差が補正された制御信号を出力する方法とした。
【００２０】
係る方法により、画像データの書き出し位置のずれを防止し、書き出し位置の精度を向上させることできる。
【００２１】
また前記レーザビームは、複数本のレーザビームであって、前記位置信号は、前記複数のレーザビームのうち、前記感光体面上を最初に走査するレーザビームの走査位置を示すものとした。
【００２２】
また前記制御信号出力手順は、前記制御信号と前記位置信号との位相差を設定する設定手順を有するものとした。
【発明の効果】
【００２３】
本発明によれば、画像データの書き出し位置のずれを防止し、書き出し位置の精度を向上させることできる。
【発明を実施するための最良の形態】
【００２４】
本発明は、レーザビームによる垂直方向の画像データの書き出しを制御する制御信号（ＶＳ信号）を、感光体ドラム上に照射されたレーザビームの水平走査の開始位置を示す位置信号（ＢＤ信号）と同期させる補正を行うことで、ＢＤ信号とＶＳ信号との位相差をなくし連続紙に対する画像データの書き出し位置のずれを防止する。
【００２５】
図３を参照して、本実施形態の連続紙電子写真装置１００の概要を説明する。尚後述する光学系及びプロッタエンジンの構成は、図１で説明した連続紙電子写真装置と同様である。よって以下の説明において、図１と同様の構成を有するものには図１の説明で用いた符号と同様の符号を用いる。
【００２６】
連続紙電子写真装置１００は、発振部３００、画像データを書き出す光学系３１０、光学系３１０を制御する光学系コントローラ３２０、画像データが出力されるプロッタエンジン３３０、プロッタエンジン３３０を制御するエンジンコントローラ３４０とを有する。光学系３１０は、図１で説明したポリゴンミラー１０１、レーザ光源１０３、フォトセンサ１０５等である。またプロッタエンジン３３０は、感光体ドラム１０４、トラクタ１０６、転写器１０７等である。
【００２７】
連続紙電子写真装置１００において、光学系コントローラ３２０とエンジンコントローラ３４０は、後述する発振部３００から生成される基準クロックを用いて光学系３１０及びプロッタエンジン３３０を制御している。より具体的には連続紙電子写真装置１００では、光学系３１０の有するポリゴンミラー１０１の回転速度と、プロッタエンジン３３０の有する感光体ドラム１０４及びトラクタ１０６の回転速度とが同期するように、発振部３００から各コントローラへ基準クロックを供給する。連続紙電子写真装置１００では、同一の発振部３００から生成されるクロックを基準とすることで、各デバイス間の相対的な同期が保証される。
【００２８】
連続紙電子写真装置１００では、画像データは光学系コントローラ３２０に入力される。光学系コントローラ３２０は、画像データが入力されると光学系３１０の動作を開始させる。光学系３１０では、動作が開始されるとレーザ光源１０３からレーザビーム１０２が照射され、ポリゴンミラー１０１の回転が開始される。レーザビーム１０２は、ポリゴンミラー１０１に反射されて感光体ドラム１０４を走査し、フォトセンサ１０５からエンジンコントローラ３４０にＢＤ信号が出力される。
【００２９】
エンジンコントローラ３４０は、本発明の特徴部であるＶＳ信号生成部４００を備えており、ＶＳ信号生成部４００によりＢＤ信号と同期したＶＳ信号を生成する。ＢＤ信号と同期されたＶＳ信号は、エンジンコントローラ３４０から光学系コントローラ３２０へ出力される。光学系コントローラ３２０は、ＶＳ信号に基づき光学系３１０から画像データの書き出すタイミングを制御する。光学系３１０は、ＶＳ信号に基づき制御されたタイミングで画像データを書き出し、プロッタエンジン３３０はこの画像データを連続紙へ出力する。
【００３０】
本実施形態では、このようにＢＤ信号と同期したＶＳ信号により、光学系３１０における画像データの書き出しのタイミングを制御する。よって本実施形態では、画像データの書き出し位置のずれを防止し、書き出し位置の精度を向上させることできる。
【００３１】
以下に本発明の連続紙電子写真装置１００の特徴的構成の説明に先立ち、連続紙電子写真装置１００の有する発振部３００について説明する。図４は、発振部３００について説明する図である。
【００３２】
発振部３００は、発振器である源振３０１、分周回路３０２、分周回路３０３とを有する。本実施形態の連続紙電子写真装置１００では、分周回路３０２から出力されるクロックをポリゴンミラー１０１を駆動させる基準クロックとして用いる。また分周回路３０３から出力されるクロック信号を感光体ドラム１０４及びトラクタ１０６を駆動させる基準クロックとして用いる。
【００３３】
ポリゴンミラー１０１と感光体ドラム１０４は、定速回転を実現すればよい。よって分周回路３０２から出力されるポリゴンミラー１０１の駆動用基準クロックと、分周回路３０３から出力される感光体ドラム１０４の駆動用基準クロックとは、オンデューティ５０％の繰り返しとすれば良い。
【００３４】
一方、トラクタ１０６を駆動する用紙搬送モータ（図示せず）は、１／６インチを単位に紙送りを行う１／６インチインクリメント仕様とした。よって本実施形態では、分周回路３０３から出力される基準クロック信号から、オンデューティ２．５％のクロックを生成し、これを用紙搬送基準クロックとした。尚２．５％という値は、解像度２４０（ドット／インチ）とした場合の、１／｛１／６（インチ）×２４０（ドット／インチ）｝＝１／４０に由来する。また本実施形態の用紙搬送モータは、高精度の位置制御に適したサーボモータを用いるものとした。この場合モータエンコーダの１スリットが１／２４０（ドット／インチ）に相当する。
【００３５】
また本実施形態の連続紙電子写真装置１００では、光学系（ポリゴンミラー１０１、レーザ光源１０３、フォトセンサ１０５等）の仕様、トラクタ１０６を駆動する用紙搬送速度、感光体ドラム１０４の回転速度のそれぞれおいて必要なクロックが決められている。本実施形態の源振３０１は水晶発振器であり、水晶発振紙の発振周波数は上記のそれぞれの各クロック周波数の最小公倍数から求められる。
【００３６】
次に、本実施形態の特徴的構成であるＶＳ信号出力部４００について説明する。
【００３７】
本実施形態のＶＳ信号出力部４００では、ＶＳ信号とＢＤ信号との位相差を補正し、ＢＤ信号と同期させたＶＳ信号を出力する。
【００３８】
図５は、ＶＳ信号出力部４００を説明する図である。
【００３９】
本実施形態のＶＳ信号出力部４００は、カウンタ回路４０１、ＮＡＮＤ回路４０２、比較器４０３とを有する。本実施形態では、ＶＳ信号により後述する連続紙の論理ページ長を定義し、論理ページ長（ＶＳ信号の出力時間）とあわせて画像データの書き出し位置を制御することにより、連続紙における画像データの書き出し位置のずれを防止している。
【００４０】
ＶＳ信号出力部４００において、カウンタ回路４０１は、Ｃ（カウント）端子に入力されるクロック４０４の立上りエッジをＮ回カウントすると再び０からカウントを繰り返す。またカウンタ回路４０１は、Ｒ（リセット）端子にＬレベルの入力があるとカウンタを０にリセットする。尚カウンタ回路４０１に入力されるクロック４０４は、用紙搬送基準クロックである。
【００４１】
ＮＡＮＤ回路４０２には、フォトセンサ１０５から出力されるＢＤ信号４０５とイネーブル信号４０６とが入力される。ＮＡＮＤ回路４０２の出力は、カウンタ回路４０１のＲ端子に接続されている。本実施形態では、ＮＡＮＤ回路４０２にＨレベルのイネーブル信号４０５とＨレベルのＢＤ信号４０６とが入力されるとＮＡＮＤが成立し、カウンタ回路４０１のリセットが有効になる。
【００４２】
次段の比較器４０３は、カウンタ回路４０１の出力カウント４０７と補正データ４０８とが一致するとＬレベルの信号を出力する。本実施形態では、比較器４０３の出力がＶＳ信号出力部４００の出力であるＶＳ信号４０９となる。ＶＳ信号がＬレベルになるとＶＳ信号がリセットされる。補正データ４０８については後述する。
【００４３】
ここで図６を参照して連続紙のページ長について説明する。図６は、連続紙の一例を示す図である。
【００４４】
本実施形態の連続紙電子写真装置１００に使用される連続紙６０は、例えばミシン目６１及び６２により各ページに分割されている。本実施形態ではミシン目６１からミシン目６２までの長さをページ長Ｌとした。
【００４５】
本実施形態では、連続紙をページ長Ｌだけ搬送するのに必要となる用紙搬送基準クロックの数Ｎが予め決められている。連続紙電子写真装置１００では、カウンタ回路４０１が用紙搬送基準クロック（クロック４０４）の立上りエッジをＮ回カウントする期間に連続紙がページ長Ｌだけ搬送される。本実施形態では、Ｎ回の用紙搬送基準クロックにより搬送される連続紙の長さを連続紙の論理ページ長Ｌｒとし、ＶＳ信号４０９によりこの論理ページ長Ｌｒを定義する。すなわち本実施形態のＶＳ信号４０９のＨレベルとなる期間Ｔｒは、カウンタ回路４０１がカウントするクロック４０４の立上りエッジの数により決められる。本実施形態では、ＶＳ信号４０９がＨレベルのとき光学系３１０から画像データが書き出される。
【００４６】
次に、図７を参照して本実施形態の連続紙電子写真装置１００の基本動作を説明する。図７は連続紙電子写真装置１００の動作を説明するタイミングチャートである。図７（Ａ）は、ＢＤ信号とＶＳ信号とを同期させた場合を示す図であり、図７（Ｂ）はＢＤ信号を説明する図である。
【００４７】
連続紙電子写真装置１００においてフォトセンサ１０５からＢＤ信号４０５が出力されると、ＮＡＮＤ回路４０２にＨレベルのＢＤ信号４０５が入力され、ＮＡＮＤ回路４０２はＬレベルの信号を出力する。ＮＡＮＤ回路４０２の出力がカウンタ回路４０１のＲ端子に入力されるとカウンタ回路４０１はリセットされる。カウンタ回路４０１がリセットされると、カウンタ出力４０７は０となる。図７の例では、補正データ４０８は０に設定されている。よってカウンタ回路４０１がリセットされると、比較器４０３はＶＳ信号４０９としてＬレベルの信号を出力する。
【００４８】
すなわち本実施形態では、ＢＤ信号４０５と同期してカウンタ回路４０１をリセットすることにより、ＶＳ信号をリセットする。リセットされたＶＳ信号は、次のクロック４０４の立上がりと同期して、Ｈレベルとなり再カウントを開始する。光学系３１０は、カウンタ回路４０１がカウントしている間、すなわちＶＳ信号がＨレベルの期間Ｔｒ、画像データの書き出しを行う。期間Ｔｒは、論理ページ長Ｌｒが搬送されるための時間である。尚本実施形態のＮＡＮＤ回路４０２に入力されるイネーブル信号４０６は、ポリゴンミラー１０１が回転を開始する際に一定期間入力される信号であり、一定時間経過した後にはディゼーブル信号とされる。
【００４９】
以上の構成により、本実施形態のＶＳ信号出力部４００ではＢＤ信号４０５とＶＳ信号４０９との位相差を補正し、ＢＤ信号４０５と同期したＶＳ信号４０９を出力することができる。ＶＳ信号４０９は、連続紙の論理ページ長を定義する信号であるため、ＶＳ信号４０９と合わせて画像データを書き出すことでページ内に画像データを適切に書き出すことができる。このため本実施形態によれば画像データの書き出し位置のずれを防止し、書き出し位置の精度を向上させることできる。さらに本実施形態では、ポリゴンミラー１０１の回転と同期した用紙搬送基準クロックに基づき生成されるＶＳ信号により、画像データの書き出し位置を制御するため、１ラスタ未満の書き出し位置のずれを補正することができる。
【００５０】
また本実施形態では、ＶＳ信号出力部４００がエンジンコントローラ３４０に設けられているため、画像データの書き出し位置の制御を光学系コントローラ３２０で行う必要がない。よって光学系コントローラ３２０の処理を軽減することができる。
【００５１】
尚図７（Ａ）では、ＢＤ信号４０５を模式的に示している。以下に図７（Ｂ）を参照してＢＤ信号４０５について説明する。
【００５２】
本実施形態の連続紙電子写真装置１００では、４つのレーザ光源１０３を備え、４本のレーザビーム１０２により感光体ドラム１０４を走査するものとした。よってフォトセンサ１０５が検出するＢＤ信号４０５は、図７（Ｂ）に示すように４０５Ａ〜４０５Ｄの４パルスとなる。
【００５３】
ＶＳ信号出力部４００では、４パルスのＢＤ信号のうち、いずれか１のＢＤ信号をＢＤ信号４０５としてＮＡＮＤ回路４０２に入力すれば良い。本実施形態の連続紙電子写真装置１００は、例えば最初に感光体ドラム１０４面上を走査したレーザビーム１０２の走査位置を示すＢＤ信号４０５ＡをＮＡＮＤ回路４０２に入力しても良い。また本実施形態の連続紙電子写真装置１００は、例えばＢＤ信号４０５Ａ〜４０５Ｄのいずれか１の信号を選択する選択回路（図示せず）を備えていても良く、選択回路により選択されたＢＤ信号をＮＡＮＤ回路４０２に入力しても良い。
【００５４】
また本実施形態の連続紙電子写真装置１００では、例えばポリゴンミラー１０１の回転を開始させる際に、４つのレーザ光源１０３のうち何れか１のレーザ光源１０３からレーザビーム１０２を照射させても良い。この場合ＢＤ信号は１パルスであり、このＢＤ信号をＮＡＮＤ回路４０２に入力すれば良い。
【００５５】
次に図８を参照して本実施形態の補正データ４０８について説明する。
【００５６】
本実施形態の連続紙電子写真装置１００では、比較器４０３に補正データ４０８を設定することにより、ＢＤ信号とＶＳ信号との位相差を可変することができる。ＢＤ信号とＶＳ信号との位相差を可変とすることができれば、位相差を設定することにより画像データの書き出し位置を任意に設定することができる。よって本実施形態の連続紙電子写真装置１００では、比較器４０３がＢＤ信号とＶＳ信号との位相差を設定する設定手段となる。
【００５７】
図８は、ＢＤ信号とＶＳ信号との位相差が設定された場合の動作を示すタイミングチャートである。
【００５８】
本実施形態の補正データ４０８は、数値を示すデータであり、例えば連続紙電子写真装置１００の工場出荷時などに予め設定されていても良い。また補正データ４０８は、連続紙電子写真装置１００の利用者により設定可能であっても良い。
【００５９】
本実施形態では、補正データ４０８を所定の数値に設定することにより、ＢＤ信号とＶＳ信号との位相差を調整することができる。ＢＤ信号とＶＳ信号との位相差は、画像データの書き出し位置のずれに相当する。本実施形態では、両信号の位相差を調整することで、画像データの書き出し位置を所望の位置に調整することができる。
【００６０】
比較器４０３は、出力データ４０７と補正データ４０８とが一致したときＶＳ信号をリセットする。よって例えば補正データ４０８がＭに設定されていた場合、出力カウント４０７は、ＢＤ信号の入力によりカウンタ回路４０１がクロック４０４の立上がりエッジがＭ回カウントされたとき、補正データ４０８と一致する。よって比較器４０３は、ＢＤ信号からＭクロック分遅らせたタイミングでＶＳ信号をリセットする。
【００６１】
本実施形態では、補正データ４０８の数値Ｍを任意に設定することで、ＢＤ信号とＶＳ信号との位相差を設定することができる。連続紙電子写真装置１００では、位相差が設定されると、ＢＤ信号が出力されてから位相差に該当する時間遅れてリセットされたＶＳ信号の立ち上がりと合わせて画像データの書き出しを開始する。よって本実施形態では、ＢＤ信号とＶＳ信号との位相差を可変とすることで、連続紙に対する画像データの書き出し開始位置を調整することができる。尚本実施形態では、Ｍ＜ＮとなるようにＭが設定されるものとした。
【００６２】
図８の例では、補正データ４０８がＭ＝３に設定された場合を示しており、ＢＤ信号が入力されてから３クロック分の遅れたタイミングでＶＳ信号がリセットされる。すなわち図８の例では、画像データはＢＤ信号が出力されてから３クロック分遅れたタイミングで画像データが出力される。よって連続紙に対する画像データの書き出しも、通常の画像データの書き出し位置から３クロック分ずれた（搬送された）位置から開始される。尚通常の画像データの書き出し位置とは、例えばミシン目６１から１ライン下がった位置などである（図６参照）。
【００６３】
このように本実施形態によれば、１ラスタ未満の書き出し位置のずれを補正することができるため、画像データの書き出し位置のずれを防止し、書き出し位置の精度を向上させることできる。また本実施形態によれば、所望の位置に画像データを書き出すことができる。
【００６４】
以上、実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【産業上の利用可能性】
【００６５】
本発明はマルチビーム光学系の連続紙電子写真装置に利用可能である。
【図面の簡単な説明】
【００６６】
【図１】レーザビームを用いて書き出し位置の制御を行う連続紙電子写真装置を説明する図である。
【図２】ＢＤ信号とＶＳ信号との間に位相差が生じた例を示す。
【図３】連続紙電子写真装置１００の概要を説明する図である。
【図４】発振部３００について説明する図である。
【図５】ＶＳ信号出力部４００を説明する図である。
【図６】連続紙の一例を示す図である。
【図７】連続紙電子写真装置１００の動作を説明するタイミングチャートである。
【図８】ＢＤ信号とＶＳ信号との位相差が設定された場合の動作を示すタイミングチャートである。
【符号の説明】
【００６７】
１００  連続紙電子写真装置
１０１  ポリゴンミラー
１０２  レーザビーム
１０３  レーザ光源
１０４  感光体ドラム
１０５  フォトセンサ
１０６  トラクタ
１０７  転写器
３００  発振部
３１０  光学系
３２０  光学系コントローラ
３３０  プロッタエンジン
３４０  エンジンコントローラ
４００  ＶＳ信号出力部
４０１  カウンタ回路
４０２  ＮＡＮＤ回路
４０３  比較器
【図１】
2009031440.tif 000003
【図２】
2009031440.tif 000004
【図３】
2009031440.tif 000005
【図４】
2009031440.tif 000006
【図５】
2009031440.tif 000007
【図６】
2009031440.tif 000008
【図７】
2009031440.tif 000009
【図８】
2009031440.tif 000010
【手続補正書】
【提出日】平成20年6月18日(2008.6.18)
【手続補正１】
【補正対象書類名】明細書
【補正対象項目名】００１０
【補正方法】変更
【補正の内容】
【００１０】
しかし、近年の連続紙電子写真装置は、高速化及び高解像度化のために複数のレーザ光源を有するマルチビーム光学系の連続紙電子写真装置では、上記したＢＤ信号とＶＳ信号との位相差による影響が大きくなる。例えばビーム数ｍ＝２０、解像度ＤＰＩ＝１２００（ドット／インチ）の場合、２０÷１２００×２５．４ｍｍ＝０．４２ｍｍとなり、書き出し位置のずれが大きくなる。
【手続補正２】
【補正対象書類名】図面
【補正対象項目名】図２
【補正方法】変更
【補正の内容】
【図２】
2009031440.tif 000011
【手続補正３】
【補正対象書類名】図面
【補正対象項目名】図３
【補正方法】変更
【補正の内容】
【図３】
2009031440.tif 000012